(57)【特許請求の範囲】
【請求項１】
建物の外壁材に取り付けられる水切り部材であって、
前記外壁材に設置可能な立設部と、
前記立設部に対して下方に傾斜する導水部と、
前記導水部の左右端部に設けられた側板部と、を有しており、
前記側板部の下辺部には、
前記側板部の先端側に位置する第１水切り部と、
前記第１水切り部よりも前記立設部側に位置し、かつ前記第１水切り部よりも上方に頂点を有する第１凹部と、
前記第１凹部よりも前記立設部側に位置し、かつ前記第１凹部の前記頂点よりも下方に位置する第２水切り部と、
前記第２水切り部よりも前記立設部側に位置し、かつ前記第２水切り部よりも上方に位置する第２凹部と、
前記第２凹部の頂点が立設部と交差する第1接合部と、
を有することを特徴とする水切り部材。
【請求項２】
前記導水部の上端部の水平方向に対する傾斜角度は、前記導水部の先端部の水平方向に対する傾斜角度より鋭角であることを特徴とする請求項１に記載の水切り部材。
【請求項３】
前記側板部の下辺部には鍔部が設けられており、前記第２水切り部には前記鍔部がない空間が設けられていることを特徴とする請求項１または２に記載の水切り部材
【請求項４】
前記立設部は平面形状であり、前記外壁材と接する部分には少なくとも１以上の突起部が設けてあることを特徴とする請求項１から３のいずれかに記載の水切り部材。
【発明の詳細な説明】
【技術分野】
【０００１】
本発明は、建物の開口部の下方位置に施工される水切り部材に関する。
【背景技術】
【０００２】
雨水による伝い汚れや凍害を防止するために、外壁面より前方に突出させた水切り部材を施工する例として、サッシ枠の側面と底面の交わる角部に水切り部材の取付け部の取付け面を、背面板を外壁面に押し当てるようにしてビス等で固定することによって外壁やサッシ枠側面を伝わって流れ落ちてくる雨水を水受け部の水受け面で受け、外壁材から離間した位置で下方に排出する、出窓やサッシ枠用の水切り部材の記載がある。（引用文献１）
【０００３】
また、水切り部材の傾斜した水受け部に複数の溝条部を形成し、開口部枠の切り欠き部から流れ落ちる雨水や結露水が、溝付き開口部下水切り部材の水受け部に滞水することなく水切りできる水切り部材の例もある。（引用文献２）
【０００４】
【特許文献１】特開平８−８６１６４公報
【特許文献２】特開２００３−７４１２８公報
【発明の概要】
【発明が解決しようとする課題】
【０００５】
ところが、水切り部材の水受け部や溝条部で受けた雨水や結露水は外壁材表面から離間した位置に排水できるが、水切り部材の側面に付着した雨水や結露水が水切り部材の側面や下辺部を伝わって外壁材表面に流れ付いてしまい、水切り部材の下方で雨水の伝い汚れや凍害となってしまうという問題点があった。また、水切り部材周囲のシーリング施工が不十分な場合水切り部材と外壁材との隙間に雨水が入り込み、汚れや凍害となる問題があった。
【０００６】
本発明は、かかる現状に鑑みてなされたものであり、水切り部材の側面を覆い水切り部材内部への雨水の浸入を防ぎつつ水切り部材側面に付着した雨水を確実に下方に排出し、更に水切り部材上部と外壁材との隙間部に施工するシーリング工事も容易に行え、しかも外観意匠を損なわず雨水伝い汚れや凍害を防止する事も可能な水切り部材を提供することを目的とする。
【課題を解決するための手段】
【０００７】
上記の目的を達成するために、本請求項１に記載の発明は、建物の外壁材に施工される水切り部材であって、外壁材に設置可能な立設部と立設部に対して下方に傾斜する導水部と導水部の左右端部に設けられた側板部とを有しており、側板部の下辺部には、側板部の先端側に位置する第１水切り部と、第１水切り部よりも立設部側に位置し、かつ第１水切り部よりも上方に頂点を有する第１凹部と、第１凹部よりも立設部側に位置し、かつ第１凹部の頂点よりも下方に位置する第２水切り部と、第２水切り部よりも立設部側に位置し、かつ第２水切り部よりも上方に位置する第２凹部と、第２凹部の頂点が立設部と交差する第１接続部とを有することを特徴とする水切り部材である。
本請求項２に記載の発明は、導水部の上端部の水平方向に対する傾斜角度は、導水部の先端部の水平方向に対する傾斜角度より鋭角であることを特徴とする請求項１に記載の水切り部材である。
本請求項３に記載の発明は、側板部の下辺部には鍔部が設けられており、第２水切り部には鍔部がない空間が設けられていることを特徴とする請求項１または２に記載の水切り部材である。
本請求項４に記載の発明は、立設部は平面形状であり、外壁材と接する部分には少なくとも１以上の突起部が設けられていることを特徴とする請求項１から３のいずれかに記載の水切り部材である。
【発明の効果】
【０００８】
本発明の水切り部材によれば、開口部を伝わる雨水を水切り部材で受け止め、水切り部材の左右端部に設けられている雨水を堰き止めるための側板部により導水部の内側中央下方に向かって流水されるので、雨水が外壁材に付着、滞留することが防止できる。更に、側板部により水切り部材内部への雨水の浸入を防ぐ。また側板部の下辺部には水切り部と凹部と接合部が設けてあり、側板部に付着した雨水が側板部の下辺部を伝わって外壁材に付着することも確実に防止できる。この結果、開口部の下部周辺および水切り部材周辺の外壁材の表面に雨水伝い汚れが発生することを防止でき、雨水伝い水を原因とする外壁材の凍害の発生も確実に防止することができる。
【０００９】
また、第２水切り部を外壁材から一定距離離間することで第２水切り部の先端に溜まった水滴が下方に落下する際、外壁材に付着しないように防止している。
【００１０】
本発明の水切り部材は外壁工事完了後からでも取り付けができる。本請求項４の発明では、水切り部材の立設部には突起部が設けてあり、水切り部材をビスなどの固定具で固定すると突起部により外壁材表面の柄の凹凸を吸収し密着性が向上され安定した取り付けができる。また突起部の厚みにより水切り部材が外壁面に対し傾斜して取り付けられるため水切り部材上部と外壁材との隙間が小さくなる。
本請求項２記載の発明では、更に、導水部の上端部の水平方向に対する傾斜角度を、導水部の先端部の水平方向に対する傾斜角度より鋭角としているため、シーリング充填後にヘラを導水部の上端部の角度に合わせてヘラ押さえを行うとより簡単により確実に施工品質の高いシーリング施工が行え、導水部の上端部の角度と近い傾斜がシーリング自体にもできるのでシーリング部分で雨水が溜まらず外壁材の汚れや凍害、シーリング材の剥がれやひび割れが発生しにくくなっている。
【図面の簡単な説明】
【００１１】
【図１】本発明にかかる水切り部材の斜視図を示す。
【図２】本発明にかかる水切り部材を施工した開口部の下方部分を示す施工断面図である。
【図３】本発明にかかる水切り部材の断面図を示す。
【図４】建物の開口部を表す立面図を示す。
【図５】本発明にかかる水切り部材を施工した開口部の下方部分を示す正面図である。
【図６】本発明にかかる水切り部材の正面図を示す。
【図７】本発明にかかる水切り部材の背面図を示す。
【図８】本発明にかかる水切り部材の側板部に付着した雨水の流れを示す側面図である。
【図９】従来例による側板部に付着した雨水の流れを示す側面図である。
【図１０】本発明にかかる水切り部材のＡ部分を示す拡大図である。
【図１１】本発明にかかる水切り部材の実施例２を示す側面図と正面図である。以下に各部分の詳細な説明を示す。
【発明を実施するための最良の形態】
【００１２】
以下、図面を参照しながら本発明を説明する。
【００１３】
（水切り部材）
図１、図２に示すように、水切り部材１は、立設部２と導水部３と水切り部材１の左右両端に側板部５とを有し、開口部２０の下方位置で外壁材２２の表面に配接されることを特徴とする水切り部材であり、側板部５の下辺部には第１水切り部８と第２水切り部９と第１凹部１０と第２凹部１７と第１接合部１１を設けたことを特徴としており側板部５に付着した雨水を第１水切り部８、第２水切り部９より確実に排出できる。また、水切り部材１の材質は金属製や樹脂製等でよく、特に限定はされない。
【００１４】
図７に示すように、水切り部材１の立設部２には接着層１２と突起部１６が設けられている。水切り部材１を外壁材２２に取り付ける際、接着層１２により仮留めを行い施工するとより確実に取り付けをする事ができる。また、突起部１６により外壁材２２との密着性が向上しより安定した取り付けが可能となり外壁材２２との隙間も少なくなる。また、接着層１２は、アクリル酸エステル共重合体からなるアクリル系粘着剤、天然ゴムからなるゴム系粘着剤、ウレタン樹脂からなるウレタン系粘着剤などにより形成されているが、一般的な接着剤により形成しても良いし両面粘着テープでも良い。また、突起部１６はシリコンゴム、アクリルゴム、ウレタンゴム、ブチルゴム等が使用されているが特に限定されない。
【００１５】
更に、図２、図３に示すように、水切り部材１は左右両端の側板部５間で立設部２の上部にシーリングポケット６を設けており、水切り部材１取り付け後にシーリングポケット６にシーリング材１５を充填し水切り部材１と外壁材２２との隙間を無くし密着性を向上させる。シーリングポケット６にシーリング材１５を充填しヘラ押さえをする際に、導水部の上端部３ａの角度とヘラ押さえをするときのヘラの角度を合わせると、より簡単に、より確実にシーリング充填施工が行え、また、施工後のシーリング材１５も導水部の上端部３ａの角度に近い傾斜となるためシーリング材１５の上に雨水が滞留せず雨水による汚れや凍害も起こらず、施工後のシーリング材１５の剥がれやひび割れも発生しにくくなる。
【００１６】
（外壁材）
外壁材２２としては、木片、木質パルプ、木質繊維やパルプ等の木質補強材を添加したセメント板（木質セメント板）、セメント押出成形板、パルプセメント板、石膏板、ケイ酸カルシウム板、炭酸マグネシウム板、セメント板等が使用される。
【００１７】
（シーリング）
シーリング材１５は、外壁材２２表面と水切り部材１との密着性が良く防水性能を満たし、施工後の外壁材２２及び水切り部材１の寸法変化に追従し、切れや剥離などの密閉破壊が生じないものであれば良い。
特に限定はされないが、変成シリコーン系、ポリサルファイド系、ポリウレタン系、アクリル系、ブチルゴム系があり、好ましくは、変成シリコーン系、ポリサルファイド系、ポリウレタン系といった弾性シーリング材が使用される。
【００１８】
（開口部）
開口部２０とは、図４及び図５に示すように、開口部下辺部が外壁材２２と接している開口部２０のことであり、開口部２０の種類や形状は特に限定されない。
【００１９】
（実施例１）
次に、本発明にかかる水切り部材とその施工方法について説明する。
図１に示すように、立設部２と導水部３と側板部５で構成する水切り部材１を用意する。次に、図２に示すように、開口部２０の下方位置で左右端部の外壁材２２の表面に、水切り部材１を取り付け位置にあわせて仮留めし、取り付け孔１３の位置にドリルなどで外壁材２２に先穴を開けビス１４で固定する。仮留めは水切り部材１の立設部２に設置してある接着層１２を使用すると片手で水切り部材１を外壁材２２の表面に押し当てながら押さえなくて済むため両手を使い確実に取り付けることができ施工品質の向上および施工の合理化になる。
【００２０】
図３に示すように、水切り部材１の側板部５の下辺部には、第１水切り部８、第２水切り部９、第１凹部１０、第２凹部１７、第１接合部１１が設けられている。地盤面からの高さは、第１水切り部８および第２水切り部９は第１凹部１０の頂点より下方に位置し、第１接合部１１は第２凹部１７より上方に位置し、第２凹部１７は第２水切り部９より上方に位置する。
【００２１】
図８に示すように側板部５の下辺部に設けた第１水切り部８と第１凹部１０の頂点と第２水切り部９と第２凹部１７と第１接合部１１を結ぶ辺の形状は直線状または曲線状となっている。側板部５に付着した雨水は下辺部を伝って第１水切り部８または第２水切り部９に集まり下方に落下するため、側板部５の下辺部を伝って外壁材２２に付着し雨水の伝い汚れや凍害となることがない。
【００２２】
第２水切り部９は立設部２が外壁材２２と接する部分からの水平方向の距離が６ｍｍ以上離間した位置に配設されている。また第１水切り部８は立設部２が外壁材２２と接する部分からの水平距離が第２水切り部９以上離間している。
【００２３】
地盤面に対する導水部３のなす角度は、２０度から４５度が望ましい。２０度未満や４５度を超えると水切り部材１の形状が大きくなりすぎて建物外観上問題となってしまう。
【００２４】
図３及び図１０に示すように地盤面に対する導水部の上端部３ａのなす角度は５度から２０度が望ましい。これはシーリングポケット６にシーリング材１５を充填しヘラ押さえを行う際に、導水部３と地盤面がなす角度よりもさらに鋭角な導水部の上端部３ａの角度に沿ってヘラを当てヘラ押さえをする事により、シーリング材１５の充填施工がより確実に行え、シーリング材１５に角度が付くため表面自体にも雨水が下方に流れるようになりシーリング材１５部分に雨水が滞留することも無くなりシーリング材１５は劣化しにくくなるため雨水の浸入による汚れや凍害も防ぐことができる。
【００２５】
図１及び図６に示すように水返し部７の形状は導水部の上端部３ａを頂点とする三角錐であり導水部３と側板部５に２面が接するように設置してある。水返し部７を三角錐の形状とすることで水切り部材１の導水部３に流れ落ちてきた雨水を水切り部材１の中央部に集め下方に効率良く流す効果がある。
【００２６】
図７に示すように水切り部材１の取り付け孔１３の位置は、立設部２の下端から孔の中心までの距離が５ｍｍ以上２０ｍｍ以下の範囲に設けてあることが望ましい。５ｍｍ未満では外壁材表面の凹凸により密着性が不十分で固定が不安定となり、２０ｍｍを超えると水切り部材１の形状が美観上問題となってしまう。
【００２７】
図７に示すように水切り部材１の立設部２には突起部１６が設けられている。外壁材２２の表面に柄による凹凸があるため、水切り部材１を取り付ける際に非常に不安定になりやすく、また水切り部材１と外壁材２２の表面との間に隙間ができやすい。突起部１６は水切り部材１の取り付け孔１３近傍に１以上配設され厚さは２ｍｍ以上あるため、外壁材２２の表面柄の凹凸を吸収し安定した取り付けができ、水切り部材１と外壁材２２の表面との隙間を少なくすることができる。
【００２８】
（実施例２）
図１１に示すように水切り部材１の側板部５の下辺部表面に鍔部１８を設け雨水や結露水を確実に第１水切り部８および第２水切り部９に導き排出することができる。
【００２９】
（実施例３）
また図示はしないが、側板部５の表面に垂直または傾斜の凹凸部を設け、側板部５に付着した雨水を下辺部に導き第１水切り部８および第２水切り部９より雨水や結露水を確実に排出させる。
【００３０】
（実施例４）
また、図示はしないが、水切り部材１は梨地仕上げとし雨水を水切り部材１に付着しないようにすると共に付着してしまった雨水を下方に排出させる。
【産業上の利用可能性】
【００３１】
本発明は、建築物の新築やリフォームの際に利用可能である。
【符号の説明】
【００３２】
１    水切り部材
２    立設部
３    導水部
３ａ  導水部の上端部
５    側板部
６    シーリングポケット
７    水返し部
８    第１水切り部
９    第２水切り部
１０  第１凹部
１１  第１接合部
１２  接着層
１３  取り付け孔
１４  ビス
１５  シーリング材
１６  突起部
１７  第２凹部
１８  鍔部
２０  開口部
２２  外壁材
【図１】
0006654390.tif 000002
【図２】
0006654390.tif 000003
【図３】
0006654390.tif 000004
【図４】
0006654390.tif 000005
【図５】
0006654390.tif 000006
【図６】
0006654390.tif 000007
【図７】
0006654390.tif 000008
【図８】
0006654390.tif 000009
【図９】
0006654390.tif 000010
【図１０】
0006654390.tif 000011
【図１１】
0006654390.tif 000012